(57)【要約】      （修正有）【課題】弦楽器のサドル、駒、フレット、ナットの材質に関するもので、特にアコーステックギター又はクラシックギターに使用するサドルに関するものであり、高音、低音、中音ののび、残響音（サスティーン）を良くする。又、高音、低音、中音が出やすくする。【解決手段】弦楽器のパーツのサドル３、駒、フレット２、ナット１のうち少なくとも１つが第１１族金属、第１１族金属の合金又は金属ガラスで造る。更に、サドル３の底部に複数の凸部を設けてスペーサーを挟んでブリッジ５に設けた溝に取付ける。【選択図】図４
2012159832.tif 000002
【特許請求の範囲】
【請求項１】
弦楽器のサドル、駒、フレット、ナットのうち少なくとも１つが第１１族金属、第１１族金属の合金又は金属ガラスで造られたことを特徴とするサドル、駒、フレット又はナット。
【請求項２】
請求項１に記載のサドル、駒、フレット又はナットを使用することを特徴する弦楽器。
【請求項３】
サドルの底部に複数の凸部を設けたことを特徴とする請求項１又は請求項２に記載のサドル。
【請求項４】
底部に複数の凸部を設けたサドルをスペーサーを挟んでブリッジに取付けることを特徴とする請求項１、請求項２又は請求項３に記載のサドル。
【請求項５】
請求項３、請求項４又は請求項５に記載のサドルを使用することを特徴とするアコーステックギター又クラシックギター。
【発明の詳細な説明】
【技術分野】
【０００１】
本発明は弦楽器のサドル、駒、フレット、ナットの材質に関するもので、特にアコーステックギター又はクラシックギターに使用するサドルに関するものである。
【背景技術】
【０００２】
弦楽器で最も普及しているアコーステックギター、クラシックギター、バイオリン、チェロ、三味線等の弦の乗る部分はサドル、駒と言われている。サドル、駒の材質は従来、木、べっこう、象牙、牛骨等の自然界のものが主流であった。しかし、近年べっこう、象牙は入手が困難になると共に、非常に高価なものになったので市場から姿を消していった。現在は、木、牛骨、成形しやすく安価なプラスチックが主流になっている。又、チタンの薄板をサドルのブリッジの間に挟みこむものもある。
【先行技術文献】
【特許文献】
【０００３】
【特許文献１】特開２００８−１５４４１
【発明の概要】
【発明が解決しようとする課題】
【０００４】
アコーステックギターで例を上げると、弦の振動をサドルが受け、その振動をアコーステックギターの胴の空間部や共鳴板で増幅し、胴中央部の円形の穴から音が出る仕組みである。サドルの材質に木、牛骨のような内部に微細な空洞を有するもの（コーポーラス）を使用すると振動を吸収するので、音の伝わりが良くない。また、サドルの材質にプラスチックのような振動を減衰しやすいものを使用すると振動の伝わりが良くない。又、プラスチック製のサドル、駒は弦の圧迫による磨耗が激しいので直ぐに劣化する。又、形状も夏など気温が上がると変形して使用不可能となることもある。
【課題を解決するための手段】
【０００５】
本発明は、弦楽器のサドル、駒、フレット、ナットのうち少なくとも１つが第１１族金属、第１１族金属の合金又は金属ガラスで造られたことを特徴とするサドル、駒、フレット、ナットである。
【０００６】
本発明は、前記サドル、駒、フレット、ナットを使用することを特徴とする弦楽器である。
【０００７】
本発明は、サドルの底部に複数の凸部を設けたことを特徴とするサドルである。
【０００８】
本発明は、底部に複数の凸部を設けたサドルをスペーサーを挟んでブリッジに取付けることを特徴とするサドルある。
【０００９】
本発明は、前記サドルを使用することを特徴とするアコーステックギター又はクラシックギターある。
【発明の効果】
【００１０】
弾性歪エネルギが大きく、減衰率が低い第１１族金属、第１１族金属の合金や金属ガラスをサドル、駒、フレット、ナットに使用すると、高音、低音、中音ののび、残響音（サスティーン）が良くなる。又、高音、低音、中音が出やすくなる。
【００１１】
下部にいくつもの凸部をつけることで、音が鮮明で明るい響きとなると共に、音がダイナミックになり、低音、中音、高音のバランスが良くなる。また、スペーサーを使用することでサドルの高さを自由に調節できる。また、夏など気温が上がっても変形することがない。
【図面の簡単な説明】
【００１２】
【図１】プラスチックサドル、第１１族金属合金サドル、金属ガラスサドルを使用したアコーステックギターのコードＣで発音した場合の周波数帯域分布図
【図２】第１１族金属合金サドル、金属ガラスサドルの凸部有り、無しを使用したアコーステックギターのコードＣで発音した場合の周波数帯域分布図
【図３】弾性歪エネルギδ２／Ｅと減衰率ηの関係図
【図４】本発明の実施例のサドルを取り付けたアコーステックギターの正面図
【図５】図４のアコーステックギターのＹ−Ｙ断面図
【図６】図４のアコーステックギターのＸ−Ｘ断面図
【図７】本発明の実施例２の底部に凸部を設けたサドルとスペーサーの正面図
【発明を実施するための形態】
【００１３】
本発明の実施例１、実施例２について図１〜図７を用いて説明する。
【実施例】
【００１４】
図４に示すようなアコーステックギターにおいては、弦６は糸巻き９からナット１の上部を通ってブリッジ５を介してアコーステックギターの胴部（ボディ）に取付けられる。アコーステックのネックの部分には、図４、図６示すようにフレット２が取付けられている。フレット２の取付け間隔はホール１０に近づくほど狭くなっている。弦６の胴部への取付方法は、図５に示すように、胴部（ボディ）の設けたブリッジ５に溝を設け、この溝にサドル３を取付ける。弦６は、図５に示すように、サドル３に弦６を当てて弦止めピン４により固定して張られる。アコーステックギターにおいては張られる弦６は通常一番細い第１弦から一番太い第６弦までの６本である。
【００１５】
サドル３の材質は第１１族金属の合金である。サドル３の底部に図７に示すように凸部を複数設けて、ブリッジ６にサドル３を取付けるときに図７に示すスペーサー８を挟んで取付ける。
【００１６】
次に、従来のプラスチックサドルと実施例１の第１１族金属合金サドルと実施例２の金属ガラスサドルの音の結果を図１〜図３を用いて説明する。
【００１７】
図１と図２は周波数帯域分布図である。図１はプラスチックサドル使用時と第１１族金属合金サドル使用時と金属ガラスサドルの使用時にコードＣを弾いた周波数帯域分布図である。プラスチックサドルと比べて第１１族金属合金サドルは、低音部の１００〜５００Ｈｚ位の周波数帯域が強調されて、よりダイナミックに聞こえる。
【００１８】
第１１族金属合金サドル使用時は、１２５Ｈｚから５００Ｈｚ間がより鮮明になり、１２５Ｈｚより下の低域も発音されている。５００Ｈｚより上の中域や高域をみてみると、特に５００Ｈｚから４ＫＨｚの間がプラスチックサドルを使用時より鮮明に発音されている。第１１族金属合金サドルを使用することで、サドルと弦の振動や共鳴が増幅し、バランスよく発音されていることがわかる。
【００１９】
プラスチックサドルと第１１族金属合金サドルと比べると金属ガラスサドルは、１００Ｈｚ〜１．５ｋＨｚの周波数帯域がより強調されて、明るいきらびやかな音の響きを得られる。
【００２０】
次にサドルの底部に凸部が有る場合と無い場合について説明する。図２に第１１族金属合金サドル、金属ガラスサドルの凸部有り、無しを使用したアコーステックギターのコードＣで発音した場合の周波数帯域分布図である。上部は第１１族金属合金で、下部は金属ガラスである。左が凸部無し、右が凸部有りである。
【００２１】
（第１１族金属合金のサドル）
凸部無しのサドルは、全体的によく響いて聞こえるが、１００〜５００Ｈｚの低い周波数帯域の低音の強調のみでバラスの良い響くが得られない。凸部有りのサドルは、１００〜５００Ｈｚの低音部がより強調されて、ギターの位音が強調されるため全体的に音の響きが良くかつ、ダイナミックに聞こえるため音がバランス良く出ている。
【００２２】
（金属ガラスサドル）
凸部無しのサドルは、全体的によく響いて聞こえるが、１００〜５００Ｈｚの音成分の帯域の強調のみで、バランスの良い音の響きが得られない。凸部有りの方がより音の鮮明さが顕著である。高域の音の成分１〜４ｋＨｚの周波数帯域においては明るい響きの部分がより一層鮮明になる。また、４〜８ｋＨｚの可聴領域外の周波数帯域にも音の成分が強調されている。
【００２３】
図３に弾性歪エネルギδ２／Ｅと減衰率ηの関係を示す。弾性歪エネルギが高ければ減衰率は小さくなる傾向がみられる。又、減衰率が小さくなるとよく音が響くようになる。従って、弾性歪エネルギが大きくなればなるほどよく音はよく響くことになる。
【００２４】
図３において、第１１族金属の合金の真鍮は青銅（Bronze）とほぼ同じ位置にある。また、第１１族金属の金、銀、銅もほぼ同じ位置にある。それに対して、金属ガラスは非常に弾性歪エネルギが大きいので減衰率は非常に小さい。従って、金属ガラスを使用するのが最もよい。これに対し、プラスチックは図３に記載できないほど、弾性歪エネルギは小さい（第１１族金属並びにその合金の約１００分の１である。）ので減衰率は大きくなる。
【符号の説明】
【００２５】
１    ナット
２    フレット
３    サドル
４    弦止めピン
５    ブリッジ
６    弦
７    ネック
８    スペーサー
９    糸巻き
１０  ホール
【図３】
2012159832.tif 000003
【図４】
2012159832.tif 000004
【図５】
2012159832.tif 000005
【図６】
2012159832.tif 000006
【図７】
2012159832.tif 000007
【図１】
2012159832.tif 000008
【図２】
2012159832.tif 000009